(57)【要約】      （修正有）【課題】被災して停電となった地域にコンテナを移動させ、作業者による復旧作業や救助作業、支援活動などができ、停電復旧時にも継続して活動することが可能な電源設備を備えたコンテナを提供する。【解決手段】電源設備を備えたコンテナ１０は、内部が電気機器を設置するための設置空間Ｒとなるコンテナ２０に、停電時にデスクトップ型のコンピュータや携帯電話７３ｂや、タブレット型のコンピュータに電源を供給する蓄電池を内蔵した蓄電装置３０が設置されている。蓄電装置３０から設置空間Ｒには、電源用配線４０が配線されている。コンテナ２０の外壁面２４には、停電復旧時に外部からの電源が接続される受電用コンセント６０が、差し込み口を露出させるように取り付けられている。受電用コンセント６０に外部からの電源を接続することで、受電用配線を介して蓄電装置３０へ充電すると共に、蓄電装置３０を介して電気機器へ給電をする。【選択図】図１
0003198574.tif 000002
【実用新案登録請求の範囲】
【請求項１】
内部が電気機器の設置空間となるコンテナと、
前記コンテナ内に配置され、停電時に前記電気機器に電源を供給する蓄電池を内蔵した蓄電装置と、
前記蓄電装置から前記設置空間に配線された電源用配線と、
前記コンテナの外壁面に差し込み口が露出するように取り付けられ、停電復旧時に外部からの電源が接続され、前記蓄電装置へ充電すると共に、前記蓄電装置を介して前記電気機器へ給電をするための受電用コンセントと、
前記受電用コンセントから前記蓄電装置に配線された受電用配線とを備えた電源設備を備えたコンテナ。
【請求項２】
前記電源用配線は、縦続接続された電源タップのそれぞれに、電源用プラグ付きコードを有する電球用ソケットが接続されたものである請求項１記載の電源設備を備えたコンテナ。
【請求項３】
前記電源用配線は、前記設置空間の一端側に配置された前記蓄電装置から、他端側に向かって配線された請求項２記載の電源設備を備えたコンテナ。
【請求項４】
前記電球用ソケットには、分岐用コンセントが形成されている請求項２または３記載の電源設備を備えたコンテナ。
【請求項５】
前記蓄電装置は、前記電源用配線への通電を遮断する開閉器を備えた請求項１から４のいずれかの項に記載の電源設備を備えたコンテナ。
【請求項６】
前記蓄電装置は、ＵＳＢ型の出力を備えた請求項１から５のいずれかの項に記載の電源設備を備えたコンテナ。
【考案の詳細な説明】
【技術分野】
【０００１】
本考案は、停電になったときや、停電が復旧したときでも、コンテナの内部を電気機器の設置空間として、電気機器が使用できる電源設備を備えたコンテナに関するものである。
【背景技術】
【０００２】
コンテナは、地面に固定された建築物と異なり、運搬が容易である。コンテナには、元々、電源設備が設けられていないため、電気機器をコンテナ内部で使用するために、電源設備が必要である。反面、電源設備を備えれば、コンテナ内を様々な空間として利用することができる。コンテナに電気機器を設置して利用したものとして、特許文献１，２に記載されたものが知られている。
【０００３】
例えば、特許文献１に記載のコンテナ型データセンターは、コンテナの内部に、ＵＰＳ（Uninterruptible Power Supply：無停電電源装置）などの電源設備、および空調設備を有し、サーバ機器およびネットワーク機器を含む各種機器を収納する複数のラックが列状に配置されたものである。
また、特許文献２に記載のコンテナ利用の独立電源装置は、コンテナに太陽電池と蓄電装置を設け、コンテナ内に設置された照明器や換気扇などと、コンテナ外に施工された街灯などを蓄電装置に蓄えた電気により駆動するものである。
【先行技術文献】
【特許文献】
【０００４】
【特許文献１】特開２０１２−２４８０４６号公報
【特許文献２】特開２０１３−７０５５８号公報
【考案の概要】
【考案が解決しようとする課題】
【０００５】
特許文献１に記載のコンテナ型データセンターは、無停電電源装置を備えているため、通電時だけでなく、停電時にもサーバ機器およびネットワーク機器に電源が供給できるものである。しかし、特許文献１に記載のコンテナ型データセンターは、通電状態にて使用されることが前提であるため、被災時に停電した地域に移動して、その地域で使用することは想定されていない。
【０００６】
また、特許文献２に記載のコンテナ利用の独立電源装置は、太陽電池により得られた電気を蓄電装置に蓄電させて使用するものであるため、太陽光の影響を受けやすい。従って、特許文献２に記載のコンテナ利用の独立電源装置は、停電が復旧しても、曇り空が続くと、活用できないおそれがある。
【０００７】
そこで本考案は、被災して停電となった地域にコンテナを移動させ、作業者による復旧作業や救助作業、支援活動などができ、停電復旧時にも継続して活動することが可能な電源設備を備えたコンテナを提供することを目的とする。
【課題を解決するための手段】
【０００８】
本考案の電源設備を備えたコンテナは、内部が電気機器の設置空間となるコンテナと、前記コンテナ内に配置され、停電時に前記電気機器に電源を供給する蓄電池を内蔵した蓄電装置と、前記蓄電装置から前記設置空間に配線された電源用配線と、前記コンテナの外壁面に差し込み口が露出するように取り付けられ、停電復旧時に外部からの電源が接続され、前記蓄電装置へ充電すると共に、前記蓄電装置を介して前記電気機器へ給電をするための受電用コンセントと、前記受電用コンセントから前記蓄電装置に配線された受電用配線とを備えたことを特徴とする。
【０００９】
本考案の電源設備を備えたコンテナによれば、被災して停電した地域に移動して、蓄電装置から設置空間に設置された電気機器に、電源用配線を介して電源を供給することで、作業者は、すぐにでも、設置空間にて設置された電気機器を使用して作業を行うことができる。そして、停電復旧時に、コンテナの外壁面に取り付けられた受電用コンセントに、外部からの電源を接続することで、受電用配線を介して蓄電装置の蓄電池へ充電することができると共に、電気機器に蓄電装置を介して電源が供給できる。従って、停電復旧時にも作業を継続することができる。
【００１０】
前記電源用配線が、縦続接続された電源タップのそれぞれに、電源用プラグ付きコードを有する電球用ソケットが接続されたものであると、特別な電源タップを準備することなく、電球用ソケットを数多く縦続接続された電源タップに沿って配置することができる。
従って、また、電球用ソケットに照明を取り付ければ、作業者は明るい設置空間にて電気機器を使用することができる。
【００１１】
前記電源用配線は、前記設置空間の一端側に配置された前記蓄電装置から、他端側に向かって配線されていると、設置空間の一端側から他端側に向かって、均等に照明を設置することができる。
【００１２】
前記電球用ソケットには、分岐用コンセントが形成されていると、照明の設置箇所から、電源を分岐させることができるため、それぞれの分岐用コンセントに電気機器を接続することができる。
【００１３】
前記蓄電装置は、前記電源用配線への通電を遮断する開閉器を備えていると、蓄電装置を使用しないときに開閉器を開放の状態にしておくことで、蓄電装置の蓄電池からの自然放電を極力抑えることができる。
【考案の効果】
【００１４】
本考案の電源設備を備えたコンテナは、被災して停電した地域に移動して、蓄電装置から電気機器に電源を供給することで、復旧作業や救助作業、支援活動などができ、停電復旧時に、受電用コンセントに外部からの電源を接続することにより、電気機器に電源が供給できると共に、蓄電装置の蓄電池へ充電することができるので、停電復旧時にも作業を継続することができる。
【図面の簡単な説明】
【００１５】
【図１】本考案の実施の形態に係る電源設備を備えたコンテナの長手方向に沿った側壁を取り除いた状態の正面図である。
【図２】図１に示す電源設備を備えたコンテナの天井を取り除いた状態の平面図である。
【図３】図１に示す電源設備を備えたコンテナに設置された蓄電装置の構成図である。
【図４】図１に示す電源設備を備えたコンテナに設置された電源用配線の構成図である。
【考案を実施するための形態】
【００１６】
本考案の実施の形態に係る電源設備を備えたコンテナを図面に基づいて説明する。
図１および図２に示すように、電源設備を備えたコンテナ１０には、コンテナ２０の各壁面によって囲まれた、電気機器を設置するための設置空間Ｒが形成されている。コンテナ２０は、コンテナ２０の外壁と、内壁材である石膏ボードとの間に断熱材を挟むことで、床２１と、天井２２と、四方の側壁２３とが形成されている。
【００１７】
電源設備を備えたコンテナ１０は、電源設備としての蓄電装置３０と、電源用配線４０と、受電用配線５０と、受電用コンセント６０とを備えている。
設置空間Ｒには、机７１と、椅子７２とが設置されている。机７１には、デスクトップ型のコンピュータ７３ａやスマートフォン型の携帯電話７３ｂ、タブレット型のコンピュータ７３ｃなどの電気機器が設置されている。
【００１８】
蓄電装置３０は、図３に示すように、蓄電池３０１として１２Ｖ出力の鉛蓄電池を４個直列接続したことにより、蓄電容量１０００Ｗｈを確保したものである。
蓄電装置３０は、充電器３０２と、整流器３０３と、電圧計３０４と、降圧器３０５と、インバータ３０６と、開閉器３０７とを備えている。
【００１９】
充電器３０２は、入力が外部から受電用配線５０を介して接続されている。充電器３０２は、受電用コンセント６０からの１００Ｖの単相交流を４８Ｖの直流に変換して、蓄電池３０１の充電に使用すると共に、負荷に対して電源を供給する。
整流器３０３は、充電器３０２の正極と蓄電池３０１の負極との間に接続されている。整流器３０３は、充電器３０２からの充電電流の逆流が規制できれば様々な素子が使用できる。例えば、整流器３０３は、ダイオードやトランジスタなどが使用できる。
【００２０】
電圧計３０４は、整流器３０３の出力と、充電器３０２の負極に接続されている。充電器３０２が出力する４８Ｖの直流電圧を監視するためのものである。
降圧器３０５は、正極側の入力が、ヒューズ３１０を介して、充電器３０２および開閉器３０７に接続され、負極側の入力が充電器３０２の負極に接続されている。降圧器３０５は、充電器３０２が出力する直流４８Ｖを直流１２Ｖに降圧してＵＳＢ（Universal Serial Bus）型コンセント３０８およびインバータ３０６へ出力するものである。
インバータ３０６は、入力が降圧器３０５に接続され、出力が電気機器用コンセント３０９に接続されている。インバータ３０６は、直流４８Ｖを交流１００Ｖへ変換して、電気機器用コンセント３０９へ出力する。
開閉器３０７は、蓄電池３０１の正極と、ヒューズ３１０を介して降圧器３０５との間に配置されている。
図１に示すように、蓄電装置３０には、電気機器用コンセント３０９に、電源用配線４０と、壁内に配線された埋込配線５１が接続されている。
【００２１】
電源用配線４０は、縦続接続された電源タップ４１のそれぞれに、電源用プラグ付きコードを有する電球用ソケット４２が接続されたものである。この電源用配線４０は、図１および図２に示すように、床２１の一端側に設置された蓄電装置３０から天井２２へ配線された後、机７１上の天井２２に沿って他端側に配線されている。電源タップ４１は、マルチタップとも称されるものである。
電球用ソケット４２には、ＬＥＤ照明Ｌが取り付けられている。
電球用ソケット４２には、分岐用コンセント４３が形成されている。この分岐用コンセント４３には携帯電話７３ｂやタブレット型のコンピュータ７３ｃのためのケーブル付き充電器４４ａ，４４ｂが接続されている。
【００２２】
受電用配線５０は、受電用コンセント６０から蓄電装置３０に配線されている。
埋込配線５１は、コンテナ２０の外壁と石膏ボードとの間に配線され、壁コンセント５２が３箇所に設けられている。
受電用コンセント６０は、コンテナ２０の蓄電装置３０が設置された側となる一端側の外壁面２４の下部に、差し込み口が露出するように取り付けられている。受電用コンセント６０は、平行２ピンのアース付きのプラグ受けである。
【００２３】
以上のように構成された本考案の実施の形態に係る電源設備を備えたコンテナ１０の使用状態について、図面に基づいて説明する。なお、蓄電装置３０の蓄電池３０１は満充電状態であるとする。
災害が発生した現地にて、復旧作業が必要になったときに、電源設備を備えたコンテナ１０はトラックなどの搬送手段により、被災地に搬送される。
被災地では停電状態となることが多い。そのため、復旧作業の管理などで必要なコンピュータ７３ａ，７３ｃを動作させることができない。また、携帯電話７３ｂやタブレット型のコンピュータ７３ｃの充電が無くなると、これらを継続して使用することができない。
電源設備を備えたコンテナ１０では蓄電装置３０を備えているため、これらの電気機器に電源を供給することができる。
【００２４】
作業者は、被災地に搬送され設置された電源設備を備えたコンテナ１０に入り、図３に示す蓄電装置３０の開閉器３０７を開放状態から導通状態とする。蓄電池３０１が満充電状態であるときに、開閉器３０７を開放状態とすることで、蓄電池３０１からの放電電流は、充電器３０２へは整流器３０３により遮断され、降圧器３０５へは開放状態の開閉器３０７により遮断されるので、蓄電池３０１の自然放電を極力抑えることができる。
従って、蓄電池３０１を満充電状態にしておいて、開閉器３０７を開放状態としておくことで、稼働に備えて電源設備を備えたコンテナ１０を保管しておくことで、蓄電池３０１を満充電状態のまま、被災地で迅速に蓄電装置３０を稼働させることができる。
【００２５】
蓄電装置３０の開閉器３０７を導通状態とすることで、蓄電装置３０の直列接続された蓄電池３０１から直流４８Ｖが出力される。蓄電池３０１からの直流４８Ｖは、開閉器３０７を介して、降圧器３０５により直流１２Ｖへ降圧される。この直流１２Ｖは、ＵＳＢ型コンセント３０８から受電することができる。そのため、作業員は、例えば、携帯電話７３ｂやタブレット型のコンピュータ７３ｃのためのＵＳＢ接続の充電器をＵＳＢ型コンセント３０８に接続することで携帯電話を充電することができる。
【００２６】
降圧器３０５からの直流１２Ｖはインバータ３０６により交流１００Ｖに変換される。この交流１００Ｖは、電気機器用コンセント３０９から受電することができる。そのため、作業員は、電源の供給が受けられない停電状態の被災地であっても、例えば、コンピュータ７３ａやテレビ、ラジオ、乾電池の充電器などを、電気機器用コンセント３０９に接続して、使用することができる。
【００２７】
電気機器用コンセント３０９には、図１および図３に示すように、電源用配線４０が接続されている。電源用配線４０は、図４に示すように、電源タップ４１が縦続接続されている。従って、前段の電源タップ４１のコンセントに、後段の電源プラグを差し込むようにして繋ぐことで、設置空間Ｒ内で必要な長さの電源ケーブルを構成することができる。また、電源タップ４１は、家電量販店やホームセンターなどで容易に廉価で調達することができるため、特別な電源タップを準備することなく、電球用ソケット４２を数多く縦続接続された電源タップ４１に沿って配置することができる。また、複数本の電源用配線４０を、蓄電装置３０が備えた電気機器用コンセント３０９の数に応じて蓄電装置３０に接続することができる。
【００２８】
図１および図２に示すように、電源用配線４０は、蓄電装置３０から天井２２に沿って配線されており、電源タップ４１の各コンセントに、電源用プラグ付きコードを有する電球用ソケット４２が接続されている。従って、電球用ソケット４２にＬＥＤ照明Ｌを装着することで、設置空間Ｒを明るく照らすことができるため、作業員は、設置空間Ｒにて、明るい環境下で作業を行うことができる。
また、電源用配線４０は、設置空間Ｒの一端側に配置された蓄電装置３０から、他端側に向かって配線されているため、設置空間Ｒの一端側から他端側に向かって、均等にＬＥＤ照明Ｌを設置することができる。
【００２９】
電球用ソケット４２には、分岐用コンセント４３が形成されているため、ＬＥＤ照明Ｌの設置箇所から、電源を分岐させることができる。そのため、それぞれの分岐用コンセント４３に、例えば、図１に示すように、携帯電話７３ｂやタブレット型のコンピュータ７３ｃのためのケーブル付き充電器４４ａ，４４ｂを接続して、これらを充電することができる。
【００３０】
このようにして、電源設備を備えたコンテナ１０によれば、被災して停電した地域に移動して、蓄電装置３０から設置空間Ｒに設置された電気機器に、電源用配線４０を介して電源を供給することで、作業者は、すぐにでも、設置空間Ｒにて電気機器を使用して作業を行うことができる。従って、電源設備を備えたコンテナ１０を復旧のための被災地救済支援センターとして担うことができる。
【００３１】
作業員は、蓄電装置３０は蓄電池３０１の放電が続く限り、デスクトップ型のコンピュータ７３ａや携帯電話７２ｂ、タブレット型のコンピュータ７３ｃを使用して復旧活動を行うことができる。復旧活動の結果、停電が復旧すると、電源設備を備えたコンテナ１０は、外部から電源を受電することができる。
【００３２】
外部から電源ケーブルが配線され、この電源ケーブルのプラグが受電用コンセント６０に接続される。そして、電源ケーブルによる電源は、受電用コンセント６０から蓄電装置３０に給電される。
蓄電装置３０では、充電器３０２からの直流４８Ｖにより蓄電池３０１が充電されると共に、降圧器３０５およびインバータ３０６を介して、ＵＳＢ型コンセント３０８と電気機器用コンセント３０９から電源を出力する。
【００３３】
このように、コンテナ２０の外壁面に取り付けられた受電用コンセント６０により、受電用配線５０を介して蓄電装置３０の蓄電池３０１へ充電することができると共に、デスクトップ型のコンピュータ７３ａやスマートフォン型の携帯電話７３ｂや、タブレット型のコンピュータ７３ｃなどの電気機器に、蓄電装置３０を介して電源が供給できる。そのため、停電が復旧した場合に、外部から電源を受電用コンセント６０に容易に接続することができる。従って、電源設備を備えたコンテナ１０は、停電復旧時にも作業を継続することができる。
また、蓄電装置３０の蓄電池３０１の出力が低下して、蓄電が枯渇しようとしても、受電用コンセント６０がコンテナ２０の外壁面に取り付けられているため、外部から電源ケーブルのプラグを受電用コンセント６０に接続することで、すぐに蓄電池３０１への充電を開始することができる。
【００３４】
従って、電源設備を備えたコンテナ１０は、被災して停電となった地域にコンテナ２０を移動させ、作業者による復旧作業や救助作業、支援活動などができ、停電復旧時にも継続して活動することが可能である。
【００３５】
なお、本実施の形態では、電気機器として、デスクトップ型のコンピュータ７３ａやスマートフォン型の携帯電話７３ｂや、タブレット型のコンピュータ７３ｃなど情報機器を例に説明したが、固定電話やファクシミリなどを設置したり、扇風機や暖房機、空調器などを設置したりするようにしてもよい。
【産業上の利用可能性】
【００３６】
本考案の電源設備を備えたコンテナは、被災時に設置される被災地救済支援センターの役割を担ったり、事務所や避難所、診療所などとしたりすることができるので、災害の発生時に停電が心配される地域に好適である。また、本考案の電源設備を備えたコンテナは、送電されていない地域、例えば、人里離れた工事現場などでの事務所や、復旧作業における事務所とすることも可能である。
【符号の説明】
【００３７】
１０  電源設備を備えたコンテナ
２０  コンテナ
２１  床
２２  天井
２３  側壁
２４  外壁面
３０  蓄電装置
３０１  蓄電池
３０２  充電器
３０３  整流器
３０４  電圧計
３０５  降圧器
３０６  インバータ
３０７  開閉器
３０８  ＵＳＢ型コンセント
３０９  電気機器用コンセント
３１０  ヒューズ
４０  電源用配線
４１  電源タップ
４２  電球用ソケット
４３  分岐用コンセント
４４ａ，４４ｂ  充電ケーブル
５０  受電用配線
５１  埋込配線
５２  壁コンセント
６０  受電用コンセント
７１  机
７２  椅子
７３ａ  デスクトップ型のコンピュータ
７３ｂ  スマートフォン型の携帯電話
７３ｃ  タブレット型のコンピュータ
Ｒ  設置空間
Ｌ  ＬＥＤ照明
【図１】
0003198574.tif 000003
【図２】
0003198574.tif 000004
【図３】
0003198574.tif 000005
【図４】
0003198574.tif 000006